(57)【特許請求の範囲】
【請求項１】
家具部（１０１）の２つの壁部品（１０３、１０４）を接続するための固定具（２）であって、一方の壁部品（１０４）の前記固定具（２）は少なくとも１つの弾性ラッチ（３）を有しており、前記弾性ラッチ（３）は、仮想バネ軸（Ａ）の周囲で弾性であり、かつ、他方の壁部品（１０３）に取り付けられているまたは固定されているラッチ受領手段（３０）に対してラッチング可能であり、前記弾性ラッチ（３）の前記仮想バネ軸（Ａ）は、前記一方の壁部品（１０４）の壁（１４０）に対して横断方向に配置されており、前記他方の壁部品（１０３）に提供されている前記ラッチ受領手段（３０）は開口部（３１）の形態であり、該開口部（３１）に対する仮想垂直線（Ｎ）は、前記弾性ラッチ（３）の前記仮想バネ軸（Ａ）に対して平行に延伸することを特徴とする固定具。
【請求項２】
引出し（１０２）の後壁（１１１）を側壁（１１２）に接続するための固定具であることを特徴とする請求項１に記載の固定具。
【請求項３】
少なくとも１つの前記弾性ラッチ（３）は、前記他方の壁部品（１０３）に取り付けられているまたは固定されているラッチ受領手段（３０）に対して解放可能にラッチング可能であることを特徴とする請求項１または２に記載の固定具。
【請求項４】
前記弾性ラッチ（３）の前記仮想バネ軸（Ａ）は、前記一方の壁部品（１０４）の壁（１４０）に対して垂直に配置されていることを特徴とする請求項１から３のいずれか１項に記載の固定具。
【請求項５】
前記固定具（２）は、少なくとも１つの別な弾性ラッチ（４）を有しており、前記弾性ラッチ（４）の仮想バネ軸（Ｂ）は前記一方の壁部品（１０４）の壁（１４０）に対して横断方向に配置されていることを特徴とする請求項１から４のいずれか１項に記載の固定具。
【請求項６】
前記弾性ラッチ（４）の前記仮想バネ軸（Ｂ）は前記一方の壁部品（１０４）の壁（１４０）に対して垂直に配置されていることを特徴とする請求項５に記載の固定具。
【請求項７】
２つの前記弾性ラッチ（３、４）は互いに平行であり、連結されていることを特徴とする請求項５または６記載の固定具。
【請求項８】
２つの前記弾性ラッチ（３、４）間には肢部（５）が配置されていることを特徴とする請求項５から７のいずれか１項に記載の固定具。
【請求項９】
前記固定具（２）は一体成型品であることを特徴とする請求項１から８のいずれか１項に記載の固定具。
【請求項１０】
前記固定具（２）はプラスチック材料製であることを特徴とする請求項１から９のいずれか１項に記載の固定具。
【請求項１１】
前記弾性ラッチ（３、４）は傾斜面（２０）を有しており、該傾斜面（２０）の１部分（２１）は前記一方の壁部品（１０４）の方向に上昇しており、別部分（２２）は前記弾性ラッチ（３、４）の自由端（６）の方向に前記仮想バネ軸（Ａ，Ｂ）から上昇していることを特徴とする請求項１から１０のいずれか１項に記載の固定具。
【請求項１２】
前記他方の壁部品（１０３）上の前記ラッチ受領手段（３０）は貫通開口部（３２）の形態であることを特徴とする請求項１から１１のいずれか１項に記載の固定具。
【請求項１３】
前記固定具（２）は工具を使用せずに解放できるように設計されていることを特徴とする請求項１から１２のいずれか１項に記載の固定具。
【請求項１４】
前記固定具（２）は前記引出し（１０２）の前記側壁（１１２）に取り付けられており、前記ラッチ受領手段（３０）は前記引出し（１０２）の前記後壁（１１１）に取り付けられていることを特徴とする請求項２に記載の固定具。
【請求項１５】
前記家具部（１０１）の前記２つの壁部品（１０３、１０４）を、請求項１から１４のいずれか１項に記載の少なくとも１つの固定具（２）で横断方向に接続するための接続具（１）。
【請求項１６】
前記家具部（１０１）の前記２つの壁部品（１０３、１０４）を、請求項１から１４のいずれか１項に記載の２つの固定具（２）で横断方向に接続するための接続具（１）。
【請求項１７】
前記接続具（１）は一体成型品であることを特徴とする請求項１５または１６に記載の接続具。
【請求項１８】
請求項１５から１７のいずれか１項に記載の少なくとも１つの接続具（１）を備えた引出し（１０２）。
【請求項１９】
請求項１５から１７のいずれか１項に記載の２つの接続具（１）を備えた引出し（１０２）。
【請求項２０】
請求項１８または１９に記載の少なくとも１つの引出し（１０２）を備えた家具（１００）。
【発明の詳細な説明】
【技術分野】
【０００１】
本発明は、家具部の２つの壁（側板）部品を接続する固定具に関し、特に、引出しの後壁を側壁に固定する固定具に関する。この壁部品に取り付けられる固定具は、仮想バネ軸の周囲で弾性であり、好適には解放可能に、別の壁部品に取り付けあるいは固定されているラッチ受領手段にラッチング（掛け留め）できる少なくとも１つの弾性ラッチを有している。
【０００２】
さらに、本発明は、家具部の２つの壁部品を、以下で説明する固定具により横断方向に接続するための接続具に関する。本発明はさらに引出し、および、ここで説明するタイプの接続具を有する家具にも関する。
【背景技術】
【０００３】
このタイプの固定具は従来から多数存在する。例えば、１９９３年３月２５日のＤＥ３２１８５０４Ｃ２が固定具を開示しており、この固定具によって引出しの後壁が側壁に接続される。この場合、固定具は、引出しの壁に設けられている２つの弾性ラッチを有する。これら弾性ラッチは、さらに別な壁の凹部に対応して機能する。
【先行技術文献】
【特許文献】
【０００４】
【特許文献１】ＤＥ３２１８５０４Ｃ２号公報
【発明の概要】
【発明が解決しようとする課題】
【０００５】
本発明の目的は、従来の固定具に勝る固定具を提供することである。
【課題を解決するための手段】
【０００６】
本発明によれば、この目的は請求項１の特徴部によって達成されている。
【０００７】
これは、弾性ラッチの仮想バネ軸を、横断方向、好適には壁部品の壁に対して略垂直に配置し、別の壁部品のラッチ受領手段を開口部の形態にし、この開口部に対する仮想垂直線を弾性ラッチの仮想バネ軸に対して略平行に延伸させることで達成させる。
【０００８】
言い換えると、ラッチ受領手段への押し込み方向が、弾性ラッチの仮想バネ軸に対して垂直ではなく略平行に延伸しており、よって結合方向が弾性ラッチの仮想バネ軸に対して実質的に平行に延伸し、ラッチ受領手段が弾性ラッチのラッチング端位置に到達するまで単結合方向に可動であり、非常に単純化された構造が可能であることを意味する。
【０００９】
その結果、弾性ラッチの長手方向は壁部品の壁に対して垂直ではなく、好適にはその壁に対して実質的に平行に延伸する。
【００１０】
そのため、壁部品の幅は弾性ラッチの可能な長さに全く影響を及ぼさない。これで、非常に狭い壁部品であっても、そのような固定具によって別の壁部品に接続できる。
【００１１】
一方、従来の固定具においては、壁部品の幅は弾性ラッチの長さに直接的に関係する。なぜなら、それら弾性ラッチは壁部品の壁に対して実質的垂直に配置され、壁部分を越えて突出せずに壁部分の幅を最大限に延伸することができるからである。
【００１２】
よって、本発明の固定具は、家具部の２つの壁部品を相互接続する固定具のコンパクト化を可能にする。
【００１３】
本発明のその他の有利な実施形態は従属請求項において記載されている。
【００１４】
その仮想バネ軸が横断方向、好適には壁部品に実質的垂直に配置されている少なくとも１つの第２弾性ラッチを固定具が有していることが特に有利であることが証明されている。安定性を増した固定具が、この第２弾性ラッチによって可能になった。
【００１５】
好適な実施形態では、これら２つの弾性ラッチを互いに対して実質的平行とし、連結することができる。この配置は固定具のさらなる安定化にも貢献できる。
【００１６】
さらに、好適には肢部をこれら２つの弾性ラッチ間に配置することができる。２つの弾性ラッチ間への肢部の配置は固定具の安定性を増強させる。
【００１７】
固定具が一体型であることが特に有利である。一体型固定具は組み立て時間を短縮させる。
【００１８】
固定具をプラスチック製とすることが特に好適である。プラスチック材料による構造は、例えば射出成型が可能であるため、固定具の製造を簡易化できる。
【００１９】
この点に関し、弾性ラッチが傾斜面を有していることが特に有利であると証明されている。この傾斜面の１部分は壁部品の方向に上昇しており、別部分は仮想バネ軸から弾性ラッチの自由端の方向に上昇している。この傾斜面のこれら２つの異なる部分のデザインは、一方において、ラッチ受領手段をこの傾斜面の１部分と弾性ラッチを越えて壁部品の方向に押し込み可能にし、その後にラッチング可能にし、他方において、ラッチングされたラッチ受領手段を弾性ラッチから再解放可能にし、特に、ラッチ受領手段が、仮想バネ軸から弾性ラッチの自由端の方向に上昇する傾斜面の別部分を越えて押し込まれたときに再解放可能にする。
【００２０】
他方の壁部品のラッチ受領手段が貫通開口部の形態であるとさらに有利であることが証明されている。貫通開口部の形態のラッチ受領手段は技術的には容易に提供でき、安定性に関しても有利である。
【００２１】
固定具が工具を使用せずに解放できるなら有利であることが証明されている。工具を使わずに固定具をラッチング状態から脱係合させると分離作業時間が短縮されるため、コストの節減を図ることができる。
【００２２】
好適には、固定具を引出しの側壁に配置することができ、ラッチ受領手段を引出しの後壁に配置できる。
【００２３】
本発明は、横断方向に家具部の２つの壁部品を固定具、特に２つの固定具で接続させるような接続具にも関する。
【００２４】
この点において、この接続具が一体的であれば特に好適である。一体型の接続具のデザインは、安価な射出成型加工によって製造できるので製造コストの低減に貢献する。
【００２５】
特に、本発明は、上述の少なくとも１つの接続具、特に２つの接続具を備えた引出しにも関する。
【００２６】
本発明はまた、上述の少なくとも１つの引出しを備えた家具にも関する。
【００２７】
本発明の他の詳細と利点は、以下の特定例の説明によってさらに詳細に解説されている。
【図面の簡単な説明】
【００２８】
【図１】図１は、２つの固定具を備えた接続具の斜視図である。
【図２ａ】図２ａは、図１の接続具の別斜視図である。
【図２ｂ】図２ｂは、図２ａで示す接続具の固定具の詳細図である。
【図３ａ】図３ａは、２つの固定具を備えた接続具を備えた家具部の２つの壁部品の斜視図であり、これら２つの壁部品は別々である。
【図３ｂ】図３ｂは、図３ａの詳細斜視図である。
【図４ａ】図４ａは、図３ａで示す２つの壁部品の斜視図であるが、これら壁部分は連結状態である。
【図４ｂ】図４ｂは、図４ａの固定具の詳細図である。
【図５】図５は、弾性ラッチの概略斜視図である。
【図６ａ】図６ａは、固定されていない家具部の２つの壁部品の平面図である。
【図６ｂ】図６ｂは、図６ａで示す２つの壁部品の斜視図である。
【図６ｃ】図６ｃは、図６ｂの詳細図である。
【図７】図７は、引出しの斜視図である。
【図８】図８は、３つの引出しを備えた家具の斜視図である。
【発明を実施するための形態】
【００２９】
図１は、２つの固定具２と２’とで２つの壁部品１０３と１０４（ここでは非図示）（図３ａ、図４ａ、図６ｂ参照）を横断方向に接続するための接続具１を図示する。これら２つの固定具２と２’の両方は一体的であり、接続具１全体も一体的である。この点で、好適には固定具２と２’および接続具１の製造にはプラスチック材料が使用される。
【００３０】
図１は、家具部１０１の２つの壁部品１０３と１０４、特に後壁１１１（図３ａ参照）を、引出し１０２（図７）の側壁１１２（図３ａ参照）に接続させる固定具２と２’を図示する。壁部品１０４の固定具２と２’は、仮想バネ軸Ａ（図２ｂ）の周囲で弾性であり、好適には解放可能に、別壁部品（１０３）に配置されているラッチ受領手段３０と３０’（図３ａ参照）にそれぞれラッチング可能である少なくとも１つの弾性ラッチ３と３’を有している。弾性ラッチ３と３’の仮想バネ軸Ａは横断方向で、好適には壁部品１０４の壁１４０（図３ａ参照）に対し実質的に垂直に配置されている。
【００３１】
この好適実施例においては、固定具２と２’は、その仮想バネ軸Ｂ（図２ｂ参照）が横断方向で、好適には壁部品１０４の壁１４０に実質的に垂直に配置されている少なくとも１つの第２の弾性ラッチ４と４’をそれぞれ有している。この配置によって、弾性ラッチ３と３’および４と４’はそれぞれ実質的に対称的である。
【００３２】
２つの弾性ラッチ３と４および３’と４’の間には肢部５と５’がそれぞれ配置されており、それぞれの固定具２と２’の安定性の増進に貢献している。
【００３３】
この好適実施例において、接続具１は後壁１１１を引出し１０２の側壁１１２に接続している（この点で図３ａと図４ａ参照）。この目的において、接続具１は側壁１１２に固定されており、その後に後壁１１１は接続具１に固定できる。
【００３４】
図２ａは、図１に関して説明したごときの接続具１の斜視図である。
【００３５】
図２ｂは、図２ａの円で囲まれた領域の詳細斜視図である。
【００３６】
この好適実施例における固定具２は、接続部７によって連結されている２つの弾性ラッチ３と４を有する。よって固定具２はＵ形状断面を有する。
【００３７】
さらに、接続部７には、２つの弾性ラッチ３と４の間で突起する肢部５が配置されている。この場合、２つの弾性ラッチ３と４は弾性形態であり、弾性ラッチ３はバネ軸Ａの周囲で弾性であり、弾性ラッチ４はバネ軸Ｂの周囲で弾性である。
【００３８】
この好適実施例では、２つのバネ軸ＡとＢは横断方向に、好適には壁部品１０４（図３ａ、図３ｂ、図４ａ、図４ｂ参照）の壁１４０（図示せず）（図３ａ、図３ｂ、図４ａ、図４ｂ参照）に実質的に垂直に配置されている。
【００３９】
この場合、弾性ラッチ３の傾斜面２０は、バネ軸Ａと実質的に同じ方向に延伸する部分２１を有する。従来の弾性ラッチの場合には、これらは通常では約９０°互いにずれている（厳密には、傾斜面の部分の上昇角を差し引いた９０°）。
【００４０】
さらに、傾斜面は、仮想バネ軸ＡまたはＢから、弾性ラッチ３と４の自由端６に向かってそれぞれ上昇する別部分２２をさらに有している（図３ｂ参照）。この好適実施例では、傾斜面２０のその別部分２２は固定具２を、工具を使用せずに解放させることができる（図５、図６ａ、図６ｂおよび図６ｃ参照）。
【００４１】
図３ａは、互いから解放されている状態の２つの壁部品１０３と１０４の斜視図である。この好適実施例においては、壁部品１０４は引出し１０２（図示せず）の側壁１１２の形態であり、他方の壁部品１０３は後壁１１１の形態である。接続具１は側壁１１２に取り付け済みである。接続具１は、後壁１１１のラッチ受領手段３０と３０’にそれぞれ対応して機能する２つの固定具２と２’を有する。
【００４２】
この好適実施例では、ラッチ受領手段３０と３０’は開口部３１の形態であり、厳密には、貫通開口部３２の形態である（図３ｂ参照）。
【００４３】
この場合において、ラッチ受領手段３０と３０’は、２つの壁部品１０３と１０４を接続するために、２つの固定具２と２’を経由して押し込まれるラッチプレート８の上に配置され、それが固定具２と２’の弾性ラッチ３と４および３’と４’をそれぞれ共に押圧した後に、ラッチプレート８は２つの固定具２と２’の弾性ラッチ３と４および３’と４’の背後でラッチングされる。これで、２つの壁部品１０３と１０４あるいは側壁１１２の後壁１１１への安定接続が可能になる（図４ａ参照）。
【００４４】
図３ｂは図３ａで示す固定具２の詳細図である。家具部１０１（図示せず）（図８参照）の２つの壁部品１０３と１０４を接続する固定具２は、この好適実施例においては、後壁１１１を引出し１０２（図示せず）（図７参照）の側壁１１２に接続するものである。この好適実施例では、固定具２は弾性ラッチ３と弾性ラッチ４とを有しており、これら２つの弾性ラッチ３と４はバネ軸ＡとＢの周囲で弾性可動であるように設計されている。この場合、弾性ラッチ３と４の仮想バネ軸ＡとＢは横断方向で、好適には壁部品１０４の壁１４０、この場合には側壁１１２に対して実質的に垂直に配置されている。ラッチ受領手段３０は開口部３１の形態で他方の壁部品１０３に配置されている。開口部３１に対する仮想垂直線Ｎは実質的に弾性ラッチ３と４の仮想バネ軸ＡとＢに対して平行に延伸する。
【００４５】
その結果、結合方向Ｘは弾性ラッチ３と４の仮想バネ軸ＡとＢに対して実質的に平行に延伸し、その結果、ラッチ受領手段３０は、ラッチング端位置に到達するまで弾性ラッチ３と４を１本の結合方向Ｘに移動でき、非常に迅速で単純な組み立て作業を可能にする。
【００４６】
バネ軸ＡとＢのこのような配置によって、仮想バネ軸ＡとＢから弾性ラッチ３と４の自由端方向へと延びる弾性ラッチ３と４の縦方向延伸は側壁１１２の最大厚に対して全く影響を及ぼさない。これで狭い側壁１１２と１１２’（図７参照）を、美観に優れ、引出しの内部スペースを節約するような引出しのために製造することができる。
【００４７】
２つの壁部品１０３および１０４の組み立て：
図３ａと図３ｂは２つの分離された壁部品１０３と１０４を図示する。すなわち、相互に離れた側壁１１２と後壁１１１が図示されている。一方、図４ａと図４ｂは連結され、接続具１および固定具２と２’でその場にラッチングされている側壁１１２と後壁１１１を図示する。
【００４８】
後壁１１１を側壁１１２へ固定するため、後壁１１１またはそのラッチプレート８は、貫通開口部３２の形態である２つのラッチ受領手段３０と３０’と共に、弾性ラッチ３と４および３’と４’をそれぞれ、ラッチング端位置に到達するまで単結合方向Ｘに沿って押し込む。この目的において、これら弾性ラッチは、この実施例では側壁１１２である壁部品１０４の壁１４０の方向に上昇する傾斜面２０の部分２１を有する。
【００４９】
ラッチプレート８は弾性ラッチ３と４および３’と４’を経由して押し込まれる際に、ラッチプレート８は弾性ラッチ３と４および３’と４’を自身がそれらラッチを越えるまで押圧し、その後に、ラッチプレート８は弾性ラッチの背後に配置され、弾性ラッチ３と４および３’と４’がそれらのバネ作用によって再び解放される。よって、ラッチプレート８およびラッチプレート８と共に、後壁１１１は側壁１１２に固定される。
【００５０】
図３ｂで明確に示すように、弾性ラッチ３は、側壁１１２の壁１４０の方向に上昇する傾斜面２０の部分２１だけではなく、この実施例では側壁１１２の形態である壁部品１０４の壁１４０の方向に実質的に平行に上昇する傾斜面２０の部分２２も有する。傾斜面２０のこの部分２２は、組み立てが完了した後に、接続具１００による２つの壁部品１０３と１０４との間の接続を再び分離させること、すなわち分解を可能にする（図６ａ、図６ｂ、図６ｃおよび図５に関する説明参照）。
【００５１】
図５は上記で説明したような弾性ラッチ３の概略図である。弾性ラッチ３は仮想バネ軸の周囲を旋回できる。弾性ラッチ３は傾斜面２０を有しており、傾斜面２０は２つの異なる部分２１と２２を有する。この場合、傾斜面２０の部分２１は、壁部品１０４の壁１４０の方向に上昇し、傾斜導入部として機能する。ラッチプレート８が押し込まれると（図３ａと図４ａ参照）、ラッチプレート８はバネ軸Ａの周囲で弾性ラッチ３を旋回させて固定具２（図示せず）を押圧する。ラッチプレート８が弾性ラッチ３の先端を越えると、弾性ラッチ３のバネ作用は再び解除され、ラッチプレート８は、弾性ラッチが開くと弾性ラッチ３の背後で固定され、ラッチプレート８は弾性ラッチ３上で引っ張られなくなる（図４ａと図４ｂ参照）。
【００５２】
ラッチプレート８を解放するため、弾性ラッチ３は、仮想バネ軸Ａから弾性ラッチ３の自由端６の方向に上昇する傾斜面２０の部分２２を有する。この部分２２は傾斜係合解除部として作用する。後壁１１１が側壁１１２の方向に旋回されることで弾性ラッチ３の方向に旋回されると、弾性ラッチ３はラッチプレート８で再び押圧され、後壁１１１は側壁１１２または接続具１から再び外される。
【００５３】
この分解プロセスは図６ａ、図６ｂおよび図６ｃにおいて示されており、壁部品１０３は壁部品１０４に対して垂直以外の角度を既に有している。ラッチプレート８は固定具２、またはその弾性ラッチ３と４を再び押圧し、壁部品１０３を取り外させる。この分解は、仮想バネ軸Ａ（図２ｂと図５参照）から弾性ラッチ３と４の自由端に向かって上昇する傾斜面２０の部分２２（図３ｂと図５参照）によって可能になる。
【００５４】
これで、コンパクトであって解放可能な固定具が提供される。
【００５５】
図７は、壁部品１０３、１０４および１０４’を備えた家具部１０１を図示する。この場合には、壁部品１０４と１０４’は側壁１１２と１１２’の形態であり、壁部品１０３は後壁１１１の形態である。側壁１１２は上述の接続具によって後壁１１１に接続されている。側壁１１２’は、接続具１とは同一ではないが実質的にはそれに類似する接続具１’によって後壁１１１に接続されている。
【００５６】
図８は家具枠体１１０を有する家具１００を図示する。家具１００はさらに３つの家具部１０１、１０１’および１０１”を、図７に関して説明したように、引出し１０２、１０２’および１０２”の形態で有している。
【図１】
0005878929.tif 000002
【図２ａ】
0005878929.tif 000003
【図２ｂ】
0005878929.tif 000004
【図３ａ】
0005878929.tif 000005
【図３ｂ】
0005878929.tif 000006
【図４ａ】
0005878929.tif 000007
【図４ｂ】
0005878929.tif 000008
【図５】
0005878929.tif 000009
【図６ａ】
0005878929.tif 000010
【図６ｂ】
0005878929.tif 000011
【図６ｃ】
0005878929.tif 000012
【図７】
0005878929.tif 000013
【図８】
0005878929.tif 000014